(57)【要約】      （修正有）【課題】住宅等の敷地の入り口に設置される門において、わざわざ門扉を開かなくても内外に手軽に荷物を受け渡しできるようにする。【解決手段】門扉３に形成した開口部の縁部に取り付けられる外枠と、該外枠の内側に嵌まり込む起立状態と下向きに回動した転倒状態との間を上下に回動自在に前記外枠に取り付けられた内枠と、該内枠の枠内開口部を覆蓋する板１５と、該内枠の転倒時に該内枠をほぼ水平状態で支持する支持具とを具備する門扉用小窓装置K、及びこの小窓装置を取り付けた門扉３。前記内枠が外枠に嵌まり込んだ起立状態で該内枠と外枠とを互いに固定するロック具を設けておくのが好ましい。【選択図】図１
2012251341.tif 000002
【特許請求の範囲】
【請求項１】
門扉に形成した開口部の縁部に取り付けられる外枠と、該外枠の内側に嵌まり込む起立状態と下向きに回動した転倒状態との間を上下に回動自在に前記外枠に取り付けられた内枠と、該内枠の枠内開口部を覆蓋する板と、該内枠の転倒時に該内枠をほぼ水平状態で支持する支持具とを具備することを特徴とする門扉用小窓装置。
【請求項２】
前記内枠が外枠に嵌まり込んだ起立状態で該内枠と外枠とを互いに固定するロック具が設けられている請求項１に記載の門扉用小窓装置。
【請求項３】
請求項１又は２の門扉用小窓装置を取り付けた門扉。
【発明の詳細な説明】
【技術分野】
【０００１】
本発明は、住宅の敷地の出入り口等に設置される門扉に関するものである。
【背景技術】
【０００２】
住宅の敷地の入り口には開閉式の門扉を備えた門が設置されることが多い。この種の門としては、例えば、所定間隔で設けられた左右の門柱に左右一対の門扉を蝶番等で内外に回動自在に取り付けて、該門扉を内側に回動させることにより、観音開き式に門を開いて通行できるようになっているものが多い。人が出入りしない時は門扉を閉じた状態でロックするようになっているのが一般的である。
【０００３】
門扉は、人が簡単に乗り越えられない程度の高さがあり、人の通行を阻止できるようになっているものが一般的であるが、例えば荷物が届いた時に門扉本体を開くのは防犯上好ましくないことがあり、また、敷地内で飼っている犬等の動物が外部へ逃げ出すおそれもある。さらに、大きな門扉の場合は、門扉の開閉に大きな動作を必要とし、しかも該門扉を閉じた状態で閂等でロックしている場合は、施錠したり開錠したりするのに手間がかかるという問題もある。
【０００４】
このため、荷物等を門扉を閉じたままで受け取ることができれば便利であるが、従来の門では、門扉を閉じたままで受け取ろうとすると、物品を持ち上げて門扉の上を越えて受け渡ししなければならないので、大きな労力を必要とするほか、特に高い門扉の場合は、それも不可能であった。なお、下記特許文献に示すように、門扉に小窓を設けたものが知られているが、この文献に記載されているものは、小窓を門扉本体に設けられている閂等の解除に使用するためのもので、単に腕を差し入れられる程度の小さなものであり、ダンボール箱等の荷物を受け取ることのできる小窓についてはなんら記載されておらず、それを示唆する記載もない。
【先行技術文献】
【特許文献】
【０００５】
【特許文献１】特開２０１１−５２３９３号公報
【発明の概要】
【発明が解決しようとする課題】
【０００６】
最近宅配便による荷物の配送が多用されるようになっており、しかも高齢者の人口比率が増加しているので、門扉を閉めたままで荷物を簡単に受け渡しできるようにすることに対する要望が強くなっている。そこで本発明は、敷地の入り口等に設置される門において、門扉を開かなくても手軽に荷物を受け渡しできるようにすることを課題としている。
【課題を解決するための手段】
【０００７】
上記課題を解決するため、本発明は次のような構成を採用した。すなわち、請求項１に記載の本発明に係る門扉の小窓装置は、門扉に形成した開口部の縁部に取り付けられる外枠と、該外枠の内側に嵌まり込む起立状態と下向きに回動した転倒状態との間を上下に回動自在に前記外枠に取り付けられた内枠と、該内枠の枠内開口部を覆蓋する板と、該内枠の転倒時に該内枠をほぼ水平状態で支持する支持具とを具備することを特徴とする。この装置には、請求項２に記載のように、前記内枠が外枠に嵌まり込んだ起立状態で該内枠と外枠とを互いに固定するロック具を設けておくのが好ましい。
【０００８】
また、本発明にかかる門扉は、請求項１又は２の門扉用小窓装置を取り付けたことを特徴としている。
【発明の効果】
【０００９】
本発明の門扉の小窓装置は、門扉の適所に取り付けられるものであって、遮蔽用の板を取り付けた内枠がほぼ垂直な起立状態からほぼ水平な転倒状態まで回動可能であり、起立状態では門扉に形成した小窓が覆蓋されるので、通常の門扉と同様に全面的に内外を遮蔽することができる。また、内枠を転倒させた状態では、小窓が開くので、そこから物品を簡単にやり取りすることができる。この場合、転倒した内枠をほぼ水平に支持する支持具を設けているので、物品を内枠の板上に載置することができるとともに、内枠上をスライドさせて移動させることができるので、便利である。
【００１０】
さらに、請求項２に記載のように、起立状態にある内枠が不用意に転倒しないようにロックするロック具を設けておくのが好ましい。
【００１１】
また、請求項３に記載の門扉は、上記のように開閉自在な小窓が設けられていて、門扉本体を開閉しなくても、小窓を開閉操作するだけで、物品を受け取ることができるので、防犯上効果的であり、物品受け取りの手間も少なくてすむ。小窓を閉じた状態で該小窓が開かないようにロックするロック具を設けておくことにより、遮蔽を確実なものとすることができる。
【図面の簡単な説明】
【００１２】
【図１】、本発明の小窓付き門扉の外側から見た外観図で、（ａ）は小窓の閉状態を、（ｂ）は小窓の開状態をあらわす。
【図２】内枠の起立状態を表わす正面図である。
【図３】その側面図である。
【図４】内枠の起立状態における斜視図である。
【図５】内枠の転倒状態を表わす斜視図である。
【図６】内枠の転倒状態を表わす側面図である。
【発明を実施するための形態】
【００１３】
以下、本発明の実施形態について具体的に説明する。図１は、本発明を施した門の外観図であり、この門１は、所定間隔で立設された左右の門柱２，２を備えている。支柱２，２には、それぞれ門扉３，３が蝶番４，４で取り付けられている。門扉３，３は、この蝶番４，４によって水平面内で回動可能であり、門扉を内側（外側）に回動させると、門を観音開き式に内側（外側）へ開くことができる。５，５は門扉に設けられた取っ手である。
【００１４】
一方の門扉３には、小窓装置Ｋが設けられている。小窓装置Ｋは、門扉３に必要に応じて開閉できる小窓１０を形成するためのものであり、この実施例における小窓１０は、図２乃至図６に示すように、外枠１１と内枠１２を備えた四角形であるが、台形、多角形その他の形状でもよい。小窓１０の大きさは、物品を通過させることのできる大きさであればよく、通常は一辺数百ｍｍ（例えば４００ｍｍ）程度の正方形（長方形でもよい）が好ましい。外枠１１と内枠１２には多数の穴１３が穿孔されているが、外枠１１の穴１３は門扉に固定するためのボルト穴であり、内枠１２の穴１３は、開口を覆蓋する板を取り付けるためのボルト穴である。これらの穴１３は所定間隔で多数個設けられていて、種々の門扉に適合できるようになっているが、場合によってはこのように多数の穴を設けなくてもよい。
【００１５】
小窓１０の外枠１１は門扉の板面に設けた小窓形成用の切り欠き部の周囲にボルト等の固着手段で固定されており、内枠１２の外面側（起立状態で敷地の外側に臨む側）には板１５がボルト等の固着手段で固着されている。図示例では、板１５は門扉の板と同様なデザインの金属、プラスチック、木等で作られた板であり、門扉の小窓を形成するときに切り出した板を利用するのが便利である。なお、場合によっては、門扉の板と異なるデザインのものでもよく、格子状、多孔板状、ネット状等の板でもよい。
【００１６】
内枠１２の下側の横桟１２ａは、一対の蝶番１７，１７で外枠１１の下部の横桟１１ａに枢着されている。このため、蝶番１７を中心として内枠１２を上下に回動させることができる。外枠１１の下側の横桟には、転倒した内枠１２をほぼ水平に支持する支持具１９，１９が設けられている。この「ほぼ水平」とは、物品を載せて移動させるに適した角度を意味し、厳密な意味で水平でなくてもよい。図示例の支持具１９、１９は、外枠１１の横桟１１ａから、内側に向かって突出する鋼製の突起状部材で、外枠の横桟１１ａに溶接一体化されている。
【００１７】
一方、上記内枠１２の背面側（転倒したとき下側になる方）の上部には、起立状態で外枠１１の上部に当接して内枠１２の固定位置を決めるストッパ２０，２０が設けられている。ストッパ２０は鋼板片であり、外枠に溶接されている。さらに、内枠１２が起立して、上記ストッパ２０，２０が外枠１１の背面に当接した状態で、該内枠１２を外枠１１に固定するロック具（固定手段）Ｒとして、ピン２２とピン穴２３、２４が設けられている。ピン穴２３は外枠１１の縦桟を左右方向に貫通する穴であり、ピン穴２４は、内枠１２の縦桟を左右方向に貫通する穴である。両ピン穴２３，２４は互いに重なる位置でピン２２を挿通できる同軸心の通孔であり、両ピン穴２３，２４にピン２２を挿通することにより、両枠１１，１２が固定できる。ピン２２を外枠１１の側方から着脱するので、外側から門扉越しにピンを抜き取るのが難しくなっている。図示例では、ピン２２は、鎖２５によって内枠１２の上側の横桟に一体に設けたブラケット２７に吊り下げられている。なお、上記枠やストッパ２０、支持具１９ブラケット、ピン２２等は、ステンレス鋼で製作しておくのが好ましい。
【００１８】
この小窓装置Ｋは、図１に示すように、門扉３に取り付けて使用される。小窓１０の位置は、荷物の受け渡しに適した高さとすればよい。図示例では、小窓装置Ｋが別途製作され、これを門扉３に形成した小窓部に取り付けるようになっているが、小窓装置Ｋを予め門扉と一体に構成してもよいことはいうまでもない。
【００１９】
この小窓装置Ｋは、上記のとおり門扉に固着した外枠１１に内枠１２を嵌め込んだ状態、すなわち内枠１２の起立状態として、内外を遮断した閉状態で保持される。この場合、ロック具であるピン２２をピン孔２３，２４に挿通したロック状態としておく。この状態では、内枠１２が起立状態で外枠１１に固定されるので、小窓１０は閉まったままである。
【００２０】
つぎに、宅配便等で荷物が届いたときは、ロック具Ｒを外して（ピン２２をピン穴３，２４から引き抜く）、内枠１２を内側に転倒させる。これにより小窓１０が開口し、内枠１２の板面はほぼ水平な開状態で支持される。このため、門扉本体を開かなくても物品を小窓１０を通して受け渡しすることができる。この場合、内枠１２の面板が水平状態となっているので、その上に物品を載せ、スライドさせることができる。このため、物品の受け渡しは容易である。また、小窓の開口を通して内外で会話をすることもできる。小窓１０の開閉操作は簡単である。
【００２１】
物品の受け渡しや必要な手続が終了したら、再度内枠１２を起立させ、外枠１１内に嵌め込んで、ロック具Ｒで固定する。これにより、人の侵入等を防止できる。なお、図示例では、ロック具を構成するピン２２を外枠１１と内枠１２の側部から挿入したり抜き取ったりするように構成しているので、外部からピンを抜き取りにくく、より安全なものとなっているが、場合によっては上方から挿入するようにしてもよい。さらに、図示例では、ピン２２を鎖で吊っているので、抜き取っても紛失する恐れがない。また、以上の説明では、ロック具Ｒとしてピン穴２３，２４とピン２２を設けているが、他のロック手段、例えば掛け金式のロック具、閂式のロック具等を採用することもできる。
【産業上の利用可能性】
【００２２】
この小窓装置や門扉は、金属材料等を用いて工業生産的に製作できるもので、住宅の敷地の門に採用でき、荷物の受け渡し等に便利で、防犯上好ましいものである。
【符号の説明】
【００２３】
１      門
２      門柱
３      門扉
１０    小窓
１１    外枠
１２    内枠
２０    ピン
Ｋ    小窓装置
Ｒ    ロック具
【図１】
2012251341.tif 000003
【図２】
2012251341.tif 000004
【図３】
2012251341.tif 000005
【図４】
2012251341.tif 000006
【図５】
2012251341.tif 000007
【図６】
2012251341.tif 000008